(57)【要約】  機能層を備える吸収性物品の個包装体において、機能層の機能成分の効果を維持しながら、機能層の流体成分が吸収性物品の別の領域に付着することを抑制する。  個包装体（Ｋ）は、包装シート（２９）と吸収性物品（１）とを備え、吸収性物品が包装シートと共に折り畳まれている。個包装体は、展開された状態において、幅方向に沿って延び、長手方向の一方側から他方側に所定間隔で互いに平行に並んだ第１折線（ＦＬ１）及び第２折線（ＦＬ２）を有し、第１折線及び第２折線で区画され、長手方向の一方側から他方側に並んだ第１領域（Ｓ１）、第２領域（Ｓ２）及び残部領域（Ｓ３＋Ｓ４）を含み、第１領域及び第２領域の少なくとも一方における吸収性物品の領域に所定機能を有する機能層（１３）を含む。個包装体は、幅方向の両端部が封止され又は折り畳まれ、厚さ方向において、第１領域及び残部領域が第２領域の側に折り畳まれている。
2019045080.tif 000002
【特許請求の範囲】
【請求項１】
長手方向、幅方向及び厚さ方向を有し、包装シートと、吸収性物品とを備え、前記吸収性物品が前記包装シート上に載置された状態で、前記包装シートと共に折り畳まれて包装された個包装体であって、
前記個包装体は、展開された状態において、
前記幅方向に沿って延び、前記長手方向の一方側から他方側に所定間隔で互いに平行に並んだ第１折線及び第２折線を有し、
前記第１折線及び前記第２折線で区画され、前記長手方向の前記一方側から前記他方側に並んだ第１領域、第２領域及び残部領域を含み、
前記第１領域及び前記第２領域の少なくとも一方における前記吸収性物品の領域に所定機能を有する機能層を含み、
前記機能層は、流体成分を含む機能剤を有しており、
前記個包装体は、
前記幅方向の両端部が封止され又は折り畳まれており、
前記第２折線で前記残部領域が前記第２領域の一方又は他方の面の側に折り畳まれ、前記第１折線で前記第１領域が前記第２領域の前記一方の面の側に折り畳まれている、
個包装体。
【請求項２】
前記厚さ方向において、前記第１領域が前記第２領域と前記残部領域との間に位置している、
請求項１に記載の個包装体。
【請求項３】
前記個包装体は、展開された状態において、
前記幅方向に沿って延び、前記長手方向において、前記第２折線に対して前記第１折線と反対側に所定間隔で互いに平行に並んだ第３折線を更に有し、
前記残部領域が前記第３折線で区画されて、前記長手方向の前記一方側から前記他方側に並んだ第３領域及び第４領域を更に含み、
前記第３領域及び前記第４領域の少なくとも一方における前記吸収性物品の領域に所定機能を有する他の機能層を含み、
前記他の機能層は、他の流体成分を含む他の機能剤を有しており、
前記個包装体は、前記厚さ方向において、前記第１領域が前記第２領域と前記第４領域との間に位置し、前記第４領域が前記第３領域と前記第１領域との間に位置している、
請求項１又は２に記載の個包装体。
【請求項４】
前記包装シートにおける前記長手方向の両端部は、前記吸収性物品における前記長手方向の両端部よりも前記長手方向の外側に長い、
請求項１乃至３のいずれか一項に記載の個包装体。
【請求項５】
前記包装シートにおける前記長手方向の前記第１領域側の端部は封止されている、
請求項４に記載の個包装体。
【請求項６】
前記個包装体は、展開された状態において、
前記長手方向に沿って延び、前記幅方向に所定間隔で互いに平行に並んだ左方折線及び右方折線を有し、
前記左方折線及び前記右方折線で区画された左方領域、中央領域及び右方領域を含み、
前記個包装体は、前記左方領域及び前記右方領域が前記中央領域に重なっている、
請求項４又は５に記載の個包装体。
【請求項７】
前記吸収性物品は、前記肌当接面側に位置する液透過性シートと、前記非肌当接面側に位置する液不透過性シートと、前記液透過性シートと前記液不透過性シートとの間に位置する吸収体と、を含み、
前記第１領域は、前記吸収体が設けられている領域よりも前記長手方向の前方又は後方に位置し、
前記第１領域における前記吸収性物品の領域に前記機能層を含む、
請求項１乃至６のいずれか一項に記載の個包装体。
【請求項８】
前記機能層は、シート形状を有する液保持性且つ液透過性のシート部材であり、
前記シート部材は、前記液透過性シートと前記液不透過性シートとの間に位置する、
請求項７に記載の個包装体。
【請求項９】
前記包装シートは非透液性のシートである、
請求項１乃至８のいずれか一項に記載の個包装体。
【請求項１０】
前記機能層は、ＴＲＰチャネルを活性化する機能成分と溶媒成分とを含む機能剤を有し、
前記流体成分は、前記機能成分及び前記溶媒成分の少なくとも一方を含む、
請求項１乃至９のいずれか一項に記載の個包装体。
【請求項１１】
前記機能層は、ＴＲＰチャネルを活性化する温感成分と溶媒成分とを含む温感剤を有する温感層、又は、ＴＲＰチャネルを活性化する冷感成分と溶媒成分とを含む冷感剤を有する冷感層である、
請求項１０に記載の個包装体。
【請求項１２】
前記温感剤がＴＲＰＶ１レセプターに対するアゴニストであり、前記冷感剤がＴＲＰＭ８レセプターに対するアゴニストである、
請求項１１に記載の個包装体。
【請求項１３】
前記機能層が、発熱成分と溶媒成分とを含む発熱剤を有する発熱層であり、
前記流体成分は、前記発熱成分及び前記溶媒成分の少なくとも一方を含む、
請求項１乃至９のいずれか一項に記載の個包装体。
【発明の詳細な説明】
【技術分野】
【０００１】
本発明は、機能剤を含む吸収性物品の個包装体に関する。
【背景技術】
【０００２】
吸収性物品の着用者に皮膚を介して温感や冷感などを知覚させる等、所定の機能を有する機能剤を含む吸収性物品が知られている。例えば、特許文献１には、着用者によって知覚される外部条件を作り出す必要なしに着用者に知覚を伝えることのできる剤（機能剤）を含む、吸収性物品が開示されている。特許文献１によれば、その剤の例として、着用者の身体面上における温度変化を作り出す必要なしに、皮膚の温度受容器（温熱又は寒冷知覚受容器）を刺激する加温剤（温感剤）又は清涼剤（冷感剤）が挙げられている。
【先行技術文献】
【特許文献】
【０００３】
【特許文献１】特表２００４−５２８０９０号公報
【発明の概要】
【発明が解決しようとする課題】
【０００４】
機能剤は、温感成分や冷感成分のような機能成分と溶媒成分とを含んでいる。これら機能成分や溶媒成分は、気体や液体の形態で、配置された場所から移動し得る流体成分を含む場合がある。【０００５】
そこで、流体成分を含む機能剤を有する機能層を設けた吸収性物品を包装シートで包装して個包装体を形成する場合について考える。この場合、個包装体の包装シート内において、吸収性物品の機能層を配置した領域から流体成分が揮発又は流動して、その後に別の不適切な領域に付着するおそれがある。例えば、吸収性物品の長手方向の端部に機能層を配置したとき、その機能層の流体成分が揮発又は流動して、その後に排泄口当接域に付着するおそれがある。そのような場合、排泄口当接域は薬剤等に敏感な排泄口に当接するため、その流体成分の種類によっては着用者に不快感等を与えるおそれがある。そうかといって、機能層の流体成分が揮発又は移動したときに、不適切な領域に移動しないようにするために、個包装体の包装シート内を熱シールやエンボスシールによって区分けすることは困難である。また、流体成分の量を減らしたり、機能層の領域を小さくしたりすると、機能成分の効果が低減してしまうおそれがある。【０００６】
したがって、本発明の目的は、機能層を備える吸収性物品の個包装体において、機能層の機能成分の効果を維持しながら、機能層の流体成分が吸収性物品の別の領域に付着することを抑制することが可能な個包装体を提供することにある。
【課題を解決するための手段】
【０００７】
本発明における個包装体は、長手方向、幅方向及び厚さ方向を有し、包装シートと、吸収性物品とを備え、前記吸収性物品が前記包装シート上に載置された状態で、前記包装シートと共に折り畳まれて包装された個包装体であって、前記個包装体は、展開された状態において、前記幅方向に沿って延び、前記長手方向の一方側から他方側に所定間隔で互いに平行に並んだ第１折線及び第２折線を有し、前記第１折線及び前記第２折線で区画され、前記長手方向の前記一方側から前記他方側に並んだ第１領域、第２領域及び残部領域を含み、前記第１領域及び前記第２領域の少なくとも一方における前記吸収性物品の領域に所定機能を有する機能層を含み、前記機能層は、流体成分を含む機能剤を有しており、前記個包装体は、前記幅方向の両端部が封止され又は折り畳まれており、前記第２折線で前記第残部領域が前記第２領域の一方又は他方の面の側に折り畳まれ、前記第１折線で前記第１領域が前記第２領域の前記一方の面の側に折り畳まれている、個包装体。
【発明の効果】
【０００８】
本発明により、機能層を備える吸収性物品の個包装体において、機能層の機能成分の効果を維持しながら、機能層の流体成分が吸収性物品の別の領域に付着することを抑制することができる。
【図面の簡単な説明】
【０００９】
【図１】図１は実施形態に係る展開された個包装体の構成例の平面図である。
【図２】図２は実施形態に係る個包装体の構成例の分解斜視図である。
【図３】図３は実施形態に係る吸収性物品の着用状態を示す模式図である。
【図４】図４は実施形態に係る折り畳まれた個包装体の構成例の斜視図である。
【図５】図５は実施形態に係る個包装体の包装方法を示す模式図である。
【図６】図６は実施形態に係る個包装体の包装方法を示す模式図である。
【図７】図７は実施形態に係る展開された個包装体の他の構成例の平面図である。
【図８】図８は実施形態に係る折り畳まれた個包装体の他の構成例の斜視図である。
【発明を実施するための形態】
【００１０】
具体的には、本発明の開示は以下の態様に関する。
［態様１］
長手方向、幅方向及び厚さ方向を有し、包装シートと、吸収性物品とを備え、前記吸収性物品が前記包装シート上に載置された状態で、前記包装シートと共に折り畳まれて包装された個包装体であって、前記個包装体は、展開された状態において、前記幅方向に沿って延び、前記長手方向の一方側から他方側に所定間隔で互いに平行に並んだ第１折線及び第２折線を有し、前記第１折線及び前記第２折線で区画され、前記長手方向の前記一方側から前記他方側に並んだ第１領域、第２領域及び残部領域を含み、前記第１領域及び前記第２領域の少なくとも一方における前記吸収性物品の領域に所定機能を有する機能層を含み、前記機能層は、流体成分を含む機能剤を有しており、前記個包装体は、前記幅方向の両端部が封止され又は折り畳まれており、前記第２折線で前記残部領域が前記第２領域の一方又は他方の面の側に折り畳まれ、前記第１折線で前記第１領域が前記第２領域の前記一方の面の側に折り畳まれている、個包装体。
【００１１】
上記の個包装体では、第１領域（前方の端部又は後方の端部を含む領域）及び第２領域（第１領域に隣接する概ね中央部の領域）の少なくとも一方における吸収性物品の領域に、流体成分を含む機能剤を有している。このとき、第１領域における長手方向の第２領域側の端部は、第１折線の位置で折られている。したがって、個包装体の第１領域の長手方向の第２領域側の端部は、流体成分が別の領域に移動可能な隙間が吸収性物品内を含めてほとんどなく、ある程度閉塞されていると見ることができる。また、第２領域における長手方向の第１領域側の端部は、第１折線の位置で折られており、残部領域側の端部は、第２折線の位置で折られている。したがって、個包装体の第２領域の長手方向の両端部は、流体成分が別の領域に移動可能な隙間が吸収性物品内を含めてほとんどなく、ほぼ閉塞されていると見ることができる。すなわち、第１領域及び第２領域における吸収性物品の領域は、概ね閉鎖空間になっている。
そのため、第１領域及び第２領域の少なくとも一方における吸収性物品の領域に機能層が配置されていても、それら機能層から流体成分が揮発又は流動して、吸収性物品内の別の領域に移動して付着することを抑制できる。すなわち、機能層を備える吸収性物品の個包装体において、機能成分の効果を維持しながら、機能層の流体成分が吸収性物品の別の領域に付着することを抑制できる。
【００１２】
［態様２］
前記厚さ方向において、前記第１領域が前記第２領域と前記残部領域との間に位置している、態様１に記載の個包装体。
上記の個包装体では、第１領域が第２領域と残部領域との間に位置している。このとき、第１領域における長手方向の第２領域と反対の側の端部は、厚さ方向に第２領域と残部領域との間に挟まれて閉塞的な状態にあり、第２領域側の端部は、第１折線の位置で折られている。したがって、個包装体の第１領域の長手方向の両端部は、流体成分が外部又は別の領域に移動可能な隙間が吸収性物品内を含めてほとんどなく、ほぼ閉塞されていると見ることができる。すなわち、第１領域における吸収性物品の領域は、より閉鎖された空間になっている。そのため、第１領域に機能層が配置されていても、それら機能層から流体成分が揮発又は流動して外部へ散逸したり、吸収性物品内の別の領域に移動して付着したりすることをより抑制できる。すなわち、機能層を備える吸収性物品の個包装体において、機能成分の効果を維持しながら、機能層の流体成分が吸収性物品の別の領域に付着することを抑制できる。
【００１３】
［態様３］
前記個包装体は、展開された状態において、前記幅方向に沿って延び、前記長手方向において、前記第２折線に対して前記第１折線と反対側に所定間隔で互いに平行に並んだ第３折線を更に有し、前記残部領域が前記第３折線で区画されて、前記長手方向の前記一方側から前記他方側に並んだ第３領域及び第４領域を更に含み、前記第３領域及び前記第４領域の少なくとも一方における前記吸収性物品の領域に所定機能を有する他の機能層を含み、前記他の機能層は、他の流体成分を含む他の機能剤を有しており、前記個包装体は、前記厚さ方向において、前記第１領域が前記第２領域と前記第４領域との間に位置し、前記第４領域が前記第３領域と前記第１領域との間に位置している、態様１又は２に記載の個包装体。
上記の個包装体では、更に、第３領域（第２領域に隣接する概ね中央部の領域）及び第４領域（後方の端部又は前方の端部を含む領域）の少なくとも一方における吸収性物品の領域に、他の流体成分を含む他の機能剤を有している。
このとき、更に、第３領域における長手方向の一方の端部は、第２折線の位置で折られており、他方の端部は、第３折線の位置で折られている。したがって、個包装体の第３領域の長手方向の両端部は、流体成分が別の領域に移動可能な隙間が吸収性物品内を含めてほとんどなく、ほぼ閉塞されていると見ることができる。また、第４領域における長手方向の一方の端部は、第３折線の位置で折られており、他方の端部は、厚さ方向に第１領域と第３領域との間に挟まれている。したがって、個包装体の第４領域の両端部は、流体成分が外部又は別の領域に移動可能な隙間が吸収性物品内を含めてほとんどなく、ほぼ閉塞されていると見ることができる。すなわち、第３領域及び第４領域における吸収性物品の領域は、概ね閉鎖空間になっている。
そのため、第３領域及び第４領域の少なくとも一方における吸収性物品の領域に他の機能層が配置されていても、その機能層から流体成分が揮発又は流動して外部へ散逸したり、吸収性物品内の別の領域に移動して付着したり、別の領域の機能層の機能成分と混合して機能低下や機能変化を起こしたりすることを抑制できる。すなわち、機能層を備える吸収性物品の個包装体において、機能成分の効果を維持しながら、機能層の流体成分が吸収性物品の別の領域に付着することを抑制できる。
【００１４】
［態様４］
前記包装シートにおける前記長手方向の両端部は、前記吸収性物品における前記長手方向の両端部よりも前記長手方向の外側に長い、態様１乃至３のいずれか一項に記載の個包装体。
上記の個包装体では、長手方向において、包装シートが吸収性物品よりも長い。そのため、吸収性物品の両端部よりも外側では包装シート同士が密着することができる。そのため、例えば、第１領域における長手方向の一方の端部は、包装シート同士が密着しつつ、第２領域と残部領域との間に挟まれることになるので、第１領域の長手方向の端部をより閉塞することができる。それにより、第１領域における吸収性物品の領域に機能層が配置されていても、その機能層から流体成分が揮発又は流動して外部へ散逸したり、吸収性物品内の別の領域に移動して付着したりすることをより抑制できる。
【００１５】
［態様５］
前記包装シートにおける前記長手方向の前記第１領域側の端部は封止されている、態様４に記載の個包装体。
上記の個包装体では、長手方向において、包装シートの第１領域側の端部が熱シールやエンボスシールなどで封止されている。そのため、例えば、第１領域における長手方向の一方の端部は、封止されつつ、第２領域と残部領域との間に挟まれることになるので、第１領域の長手方向の端部をより閉塞することができる。それにより、少なくとも第１領域における吸収性物品の領域に機能層が配置されていても、その機能層から流体成分が揮発又は流動して外部へ散逸したり、吸収性物品内の別の領域に移動して付着したりすることをより抑制できる。
【００１６】
［態様６］
前記個包装体は、展開された状態において、前記長手方向に沿って延び、前記幅方向に所定間隔で互いに平行に並んだ左方折線及び右方折線を有し、前記左方折線及び前記右方折線で区画された左方領域、中央領域及び右方領域を含み、前記個包装体は、前記左方領域及び前記右方領域が前記中央領域に重なっている、態様４又は５に記載の個包装体。
上記の個包装体では、左方領域及び右方領域が中央領域上に折り畳まれることで、流体成分が幅方向の両端部を介して外部又は別の領域に移動できないように、幅方向の両端部が閉塞されている。すなわち、幅方向の両端部は熱シール等による封止工程によっては閉塞されていない。そのため、封止工程の熱により流体成分が揮発して開口部から外部へ散逸したり、吸収性物品内の別の領域に付着したりすることを抑制できる。
【００１７】
［態様７］
前記吸収性物品は、前記肌当接面側に位置する液透過性シートと、前記非肌当接面側に位置する液不透過性シートと、前記液透過性シートと前記液不透過性シートとの間に位置する吸収体と、を含み、前記第１領域は、前記吸収体が設けられている領域よりも前記長手方向の前方又は後方に位置し、前記第１領域における前記吸収性物品の領域に前記機能層を含む、態様１乃至６のいずれか一項に記載の個包装体。
上記の個包装体では、機能層が、吸収体よりも長手方向の前方又は後方の第１領域における吸収性物品の領域に形成されているので、腹部又は背部に対して機能剤の機能をより効果的に発揮できる。そして、その場合でも、個包装体は、排泄口当接域の位置する吸収体、すなわち第２領域又は残部領域と、第１領域との間で折られているので、第１領域内の機能層の流体成分が第２領域又は残部領域内の排泄口当接域に移動して付着することを抑制できる。
【００１８】
［態様８］
前記機能層は、シート形状を有する液保持性且つ液透過性のシート部材であり、前記シート部材は、前記液透過性シートと前記液不透過性シートとの間に位置する、態様７に記載の個包装体。
上記の個包装体では、機能層が、シート形状を有し、すなわち液透過性シートや液不透過性シートとは別体に形成されている。それゆえ、流体成分の量や機能層の領域や位置をより正確に形成することができる。それにより、機能層の効果をより的確に維持しつつ、機能層の流体成分が吸収性物品の別の領域に移動して付着することをより的確に抑制できる。
【００１９】
［態様９］
前記包装シートは非透液性のシートである、態様１乃至８のいずれか一項に記載の個包装体。
上記の個包装体では、包装シートが非透液性である。そのため、機能層から流体成分が揮発又は流動して、包装シートを通り抜けて、外部へ散逸したり、吸収性物品内の別の領域に移動して付着したりすることをより抑制できる。すなわち、機能層を備える吸収性物品の個包装体において、機能成分の効果を維持しながら、機能層の流体成分が吸収性物品の別の領域に付着することをより抑制できる。
【００２０】
［態様１０］
前記機能層は、ＴＲＰチャネルを活性化する機能成分と溶媒成分とを含む機能剤を有し、前記流体成分は、前記機能成分及び前記溶媒成分の少なくとも一方を含む、態様１乃至９のいずれか一項に記載の個包装体。
上記の個包装体では、機能層がＴＲＰチャネルを活性化する機能成分を含む機能剤を有している。そのため、吸収性物品の着用時に、着用者の身体面上における温度変化を作り出す必要なしに、皮膚の受容器を刺激して、機能剤の機能を発揮させることができる。それにより、機能層の効果をより維持しつつ、機能層の流体成分が吸収性物品の別の領域に移動して付着することを抑制できる。
【００２１】
［態様１１］
前記機能層は、ＴＲＰチャネルを活性化する温感成分と溶媒成分とを含む温感剤を有する温感層、又は、ＴＲＰチャネルを活性化する冷感成分と溶媒成分とを含む冷感剤を有する冷感層である、態様１０に記載の個包装体。
上記の個包装体では、機能層が温感層又は冷感層である。そのため、吸収性物品の着用時に、吸収性物品を発熱又は冷却させなくても、着用者が、温かさ又は冷たさを感じることができる。それにより、温感層又は冷感層の効果をより維持しつつ、機能層の流体成分が吸収性物品の別の領域に移動して付着することを抑制できる。
【００２２】
［態様１２］
前記温感剤がＴＲＰＶ１レセプターに対するアゴニストであり、前記冷感剤がＴＲＰＭ８レセプターに対するアゴニストである、態様１１に記載の個包装体。
上記の個包装体では、温感剤がＴＲＰＶ１レセプターに対するアゴニストであり、冷感剤がＴＲＰＭ８レセプターに対するアゴニストである。そのため、吸収性物品の着用時に、吸収性物品を発熱又は冷却させなくても、着用者が、ＴＲＰＶ１レセプターの活性化温度閾値である、４３℃超の温度を感じることができ、又は、ＴＲＰＶ８レセプターの活性化温度閾値である、２５〜２８℃の温度を感じることができる。それにより、温感層又は冷感層の効果をより維持しつつ、機能層の流体成分が吸収性物品の別の領域に移動して付着することを抑制できる。
【００２３】
［態様１３］
前記機能層が、発熱成分と溶媒成分とを含む発熱剤を有する発熱層であり、前記流体成分は、前記発熱成分及び前記溶媒成分の少なくとも一方を含む、態様１乃至９のいずれか一項に記載の個包装体。
上記の個包装体では、機能層が発熱成分を含む発熱剤を有している。そのため、吸収性物品の着用時に、着用者の肌を温めることができ、着用者が、温かさを感じることができる。それにより、発熱層の効果を維持しつつ、機能層の流体成分が吸収性物品の別の領域に移動して付着することを抑制できる。
【００２４】
以下、実施形態に係る吸収性物品の個包装体の一例として、生理用ナプキンの個包装体について説明する。また、吸収性物品の有する所定の機能の一例として、温感機能について説明する。温感機能は、着用者に皮膚を介して温感を知覚させる機能であり、例えばシートなどに保持された温感溶液により実現される。
【００２５】
本実施形態に係る生理用ナプキン１の構成について説明する。
図１〜図４は本実施形態に係る個包装体Ｋの構成例を示す図である。図１は展開された個包装体Ｋの平面図を示し、図２はその分解斜視図を示し、図３はその着用状態の模式図を示し、図４は折り畳まれた個包装体Ｋの斜視図を示す。個包装体Ｋは、互いに直交する長手方向Ｌ、幅方向Ｗ及び厚さ方向Ｔを有し、幅方向Ｗの中心を通り長手方向Ｌに延びる長手方向中心線ＣＬを有し、生理用ナプキン１と、生理用ナプキン１を包む包装シート２９と、を備える。個包装体Ｋの長手方向Ｌ、幅方向Ｗ及び厚さ方向Ｔは、生理用ナプキン１、その各資材及び包装シート２９においても同様に適用される。また、生理用ナプキン１の着用時を想定したとき、生理用ナプキン１やその各資材において、相対的に肌に近い側を肌側ともいい、相対的に肌から遠い側を非肌側ともいう。
【００２６】
包装シート２９は、長手方向Ｌの両端部が、生理用ナプキン１の長手方向Ｌの両端部よりも長手方向Ｌの外側に長く、かつ、幅方向Ｗの両端部が、生理用ナプキン１の幅方向Ｗの両端部よりも幅方向Ｗの外側に長くなるように形成されている。すなわち、生理用ナプキン１を包装シート２９上に載置するとき、平面視で、すなわち厚さ方向Ｔの上方から生理用ナプキン１を見た場合、包装シート２９の外側に生理用ナプキン１がはみ出さないように載置できる。
【００２７】
生理用ナプキン１は、吸収本体３と、吸収本体３より長手方向Ｌの前方に配置された温感本体５とを備える。生理用ナプキン１は、吸収本体３において、着用時に着用者の肌に当接する液透過性シート７と、着用時に着衣１９に当接する液不透過性シート９と、液透過性シート７及び液不透過性シート９の間に配置された吸収体１１とを備える。また、生理用ナプキン１は、温感本体５において、着用時に着用者の肌に当接する液透過性シート７と、着用時に着衣１９に当接する液不透過性シート９と、液透過性シート７及び液不透過性シート９の間に配置された温感溶液保持シート１３と、温感溶液保持シート１３よりも液不透過性シート９側に配置された形状保持部材１５と、を備える。形状保持部材１５は、温感溶液保持シート１３を支持すると共に、温感本体５の形状を保持するシートである。そして、温感溶液保持シート１３は、吸収体１１が設けられている領域よりも長手方向Ｌの前側の位置に形成されている。なお、別の実施形態では、生理用ナプキン１は形状保持部材１５を備えなくてもよい。
【００２８】
温感溶液保持シート１３（機能層）は、不織布のような液体を保持可能なシートから構成されており、温感溶液（図示せず）を含んでいる。温感溶液（機能剤）は、生理用ナプキン１の着用者の身体又はその近傍を加熱等することなしに、皮膚の温度受容器（温熱知覚受容器）を刺激して、着用者に温感を知覚させる温感剤（温感成分）と、溶媒（溶媒成分）とを含んでいる。温感溶液は、気体や液体の形態で、温度、気圧、外力などの影響により、配置された場所から移動し得る流体成分を含んでおり、例えば温感剤及び溶媒の少なくとも一方が流体成分を含んでいる。平面視で、温感溶液は、温感溶液保持シート１３の全体に含まれている。温感溶液保持シート１３の幅方向Ｗの長さは、吸収体１１の幅方向Ｗの長さよりも長くなるように構成されている。それにより、温感溶液の効果が、吸収体１１よりも幅方向Ｗに広い領域に及ぶようになっている。なお、別の実施形態では、平面視で、温感溶液は、温感溶液保持シート１３の全体ではなく、所定の部分、例えば周縁部を除く内側の中央部に含まれている。
【００２９】
吸収本体３における液透過性シート７と、温感本体５における液透過性シート７とは一体のシートである。また、吸収本体３における液不透過性シート９と、温感本体５における液不透過性シート９とは一体のシートである。また、吸収本体３における吸収体１１と、温感本体５における形状保持部材１５とは、別の部材である。吸収体１１の一部と形状保持部材１５の一部とが、重複部１７において、厚さ方向Ｔに互いに重複しており、重複部１７において、吸収体１１が、形状保持部材１５よりも液透過性シート７に近い位置に配置されている。なお、別の実施形態では、吸収体１１と形状保持部材１５とは厚さ方向Ｔに重複せず、重複部１７はなくてもよい。
【００３０】
生理用ナプキン１において、液透過性シート７の肌側の表面は、生理用ナプキン１の肌当接面ということができ、液不透過性シート９の非肌側の表面は、肌当接面と反対側の面であるから、生理用ナプキン１の非肌当接面ということができる。したがって、生理用ナプキン１は、非肌当接面よりも肌当接面の側に、肌当接面に沿って温感溶液保持シート１３を有するということができる。
【００３１】
生理用ナプキン１において、吸収本体３は、通常の生理用ナプキンと同様の形状を有しており、吸収本体３において、長手方向Ｌの略中央部から幅方向Ｗの両外側に延出する一対のフラップ部２３、２３を備えている。生理用ナプキン１は、吸収本体３及び温感本体５の両方において、生理用ナプキン１を着用者の着衣１９に固定するための粘着部２１（粘着層）を備えている。粘着部２１の一方の面は、液不透過性シート９に固定され、他方の面は、生理用ナプキン１の包装シート２９に仮固定されている。このうち、吸収本体３には、平面視で、吸収体１１と重なる領域に配置され、例えば長手方向Ｌに沿って延び、幅方向Ｗに間欠的に並ぶ粘着部２１−１と、フラップ部２３の幅方向Ｗの略中央部に、長手方向Ｌに沿って延びる粘着部２１−２と、が配置されている。一方、温感本体５には、幅方向Ｗの両端部の領域に粘着部２１−３が配置されている。
【００３２】
ここで、粘着部２１及び温感溶液保持シート１３は、温感溶液保持シート１３の少なくとも一部が粘着部２１と厚さ方向Ｔに重複せず、かつ粘着部２１の少なくも一部が温感溶液保持シート１３と厚さ方向Ｔに重複しない位置に形成されている。例えば、粘着部２１−３及び温感溶液保持シート１３は、温感溶液保持シート１３の少なくとも一部が粘着部２１−３と厚さ方向Ｔに重複せず、かつ粘着部２１−３の少なくも一部が温感溶液保持シート１３と厚さ方向Ｔに重複しない位置に形成されている。言い換えると、温感溶液保持シート１３と粘着部２１−３とは厚さ方向Ｔにおいて互いに一部が重複するか、又は、互いに全く重複しない。粘着部２１−１、２１−３についても同様である。本実施形態では、粘着部２１−１〜２１−３と温感溶液保持シート１３とは厚さ方向Ｔに重複しない位置に形成されている。
【００３３】
例えば、粘着部２１−３が、温感溶液保持シート１３における幅方向Ｗの少なくとも中央部と、厚さ方向Ｔに重複しない位置に形成されている。ここで、温感溶液保持シート１３における幅方向Ｗの中央部は、温感機能を高める観点から、長手方向中心線ＣＬから、幅方向Ｗの両側に、それぞれ温感溶液保持シート１３の幅方向Ｗの幅の３０％までの範囲であり、好ましくは４０％までの範囲であり、より好ましくは４５％までの範囲である。本実施形態では、温感溶液保持シート１３は、中央部だけでなく全体が、粘着部２１−３とは厚さ方向Ｔに重複しない位置に形成されている。
【００３４】
個包装体Ｋ（生理用ナプキン１＋包装シート２９）は、図１に示すように、長手方向第１折線ＦＶ１（例示：左方折線）及び長手方向第２折線ＦＶ２（例示：右方折線）と、幅方向第１折線ＦＬ１（例示：第１折線）、幅方向第２折線ＦＬ２（例示：第２折線）及び幅方向第３折線ＦＬ３（例示：第３折線）とを有している。ただし、長手方向第１折線ＦＶ１及び長手方向第２折線ＦＶ２は、長手方向Ｌに沿って延び、幅方向Ｗの一方側から他方側へ所定間隔で互いに平行に並んでいる。幅方向第１折線ＦＬ１、幅方向第２折線ＦＬ２及び幅方向第３折線ＦＬ３は、幅方向Ｗに沿って延び、長手方向Ｌの一方側から他方側へ所定間隔で互いに平行に並んでいる。なお、幅方向第１折線ＦＬ１は、生理用ナプキン１の前方に配置され、幅方向第２折線ＦＬ２は、生理用ナプキン１の略中央に配置され、幅方向第３折線ＦＬ３は、生理用ナプキン１の後方に配置されている。
【００３５】
ここで、個包装体Ｋは、幅方向第１折線ＦＬ１、幅方向第２折線ＦＬ２及び幅方向第３折線ＦＬ３で区画され、長手方向Ｌの一方側から他方側に並んだ幅方向第１領域Ｓ１（例示：第１領域）、幅方向第２領域Ｓ２（例示：第２領域）、幅方向第３領域Ｓ３（例示：第３領域）及び幅方向第４領域Ｓ４（例示：第４領域）を含んでいる。なお、幅方向第３領域Ｓ３と幅方向第４領域Ｓ４とを合わせて残部領域ともいう。また、個包装体Ｋは、幅方向第１領域Ｓ１及び幅方向第２領域Ｓ２の少なくとも一方における吸収性物品の領域に温感機能を有する温感溶液保持シート１３を含んでいる。別の実施形態では、幅方向第３領域Ｓ３及び幅方向第４領域Ｓ４の少なくとも一方における吸収性物品の領域に他の機能を有する他の機能層を含んでいてもよい。他の機能層は、他の流体成分を含む他の機能剤を有する。
【００３６】
また、個包装体Ｋは、長手方向第１折線ＦＶ１及び長手方向第２折線ＦＶ２で区画され、幅方向Ｗの一方側から他方側に並んだ長手方向第１領域Ｐ１（例示：左方領域）、長手方向第２領域Ｐ２（例示：中央領域）及び長手方向第３領域Ｐ３（例示：右方領域）を含んでいる。長手方向第１領域Ｐ１及び長手方向第３領域Ｐ３は長手方向第２領域Ｐ２に重なっている。すなわち、幅方向Ｗの両端部は折り畳まれている。
【００３７】
そして、図４に示すように、生理用ナプキン１は、使用前において、包装シート２９と共に、長手方向第１折線ＦＶ１及び長手方向第２折線ＦＶ２と、幅方向第１折線ＦＬ１、幅方向第２折線ＦＬ２及び幅方向第３折線ＦＬ３を基軸としてそれぞれ折畳まれ、生理用ナプキン１の個包装体Ｋを形成している。このとき、個包装体Ｋでは、厚さ方向Ｔにおいて、幅方向第１領域Ｓ１が幅方向第２領域Ｓ２と幅方向第４領域Ｓ４との間に位置し、幅方向第４領域Ｓ４が幅方向第３領域Ｓ３と幅方向第１領域Ｓ１との間に位置している。そして、幅方向第１領域Ｓ１と幅方向第４領域Ｓ４とは粘着部（図示されず）により互いに接合されている。
【００３８】
なお、本実施形態では、幅方向第１折線ＦＬ１は、生理用ナプキン１及び包装シート２９の展開状態において、温感溶液保持シート１３と、厚さ方向Ｔに重複するように配置されている。長手方向第１折線ＦＶ１及び長手方向第２折線ＦＶ２は、生理用ナプキン１及び包装シート２９の展開状態において、吸収体１１と、厚さ方向Ｔに重複しないが、温感溶液保持シート１３と、厚さ方向Ｔに重複するように配置されている。
【００３９】
また、生理用ナプキン１は、シール部２５、エンボス部２７を備える。シール部２５は、液透過性シート７と液不透過性シート９とをそれらの外縁部分で、熱シールなどの当技術分野で公知の方法で接合・封止している。エンボス部２７は、本実施形態では、少なくとも排泄口当接域を囲むように、好ましくは更にその長手方向Ｌの外側を囲むように形成されている。ただし、排泄口当接域は、吸収体１１の形状などにより変わり得るが、例えば長手方向Ｌでは略フラップ部２３の範囲又は吸収体１１の中央１／３の範囲、幅方向Ｗでは吸収体１１の中央１／３の範囲で規定される領域である。
【００４０】
生理用ナプキン１では、液透過性シート７の非肌側の面と吸収体１１及び温感溶液保持シート１３の肌側の面とは接着剤（例示：ホットメルト接着剤）等で接合され、吸収体１１及び形状保持部材１５の非肌側の面と液不透過性シート９の肌側の面とは接着剤等で接合される。また、液透過性シート７の非肌側の面の周縁部と、液不透過性シート９の肌側の面の周縁部とは接着剤等で接合される。温感溶液保持シート１３の非肌側の面と形状保持部材１５の肌側の面とは接着剤等で接合される。
【００４１】
次に、本実施形態に係る生理用ナプキン１の使用方法について説明する。
図３に示すように、着用者Ａが生理用ナプキン１を着用する場合、まず、幅方向第１領域Ｓ１と幅方向第４領域Ｓ４との間の粘着部（図示されず）による接合を外し、個包装体Ｋを展開状態にする（図１）。次いで、吸収本体３は通常の生理用ナプキンと同様の形状を有しているので、吸収本体３の吸収体１１が着用者Ａの排泄口当接域（図示せず）に対応するように、包装シート２９を取り外しつつ、生理用ナプキン１を着衣１９（例示：ショーツ）に固定する。それにより、温感本体５、特に温感溶液保持シート１３が着用者Ａの下腹部に対応するように生理用ナプキン１が着衣１９に固定される。そして、温感本体５の肌当接面が着用者Ａの下腹部の肌に接した状態で、生理用ナプキン１が使用される。
【００４２】
言い換えると、生理用ナプキン１は、吸収体１１の排泄口当接域（図示せず）が着用者Ａの排泄口当接域に当接するように吸収本体３が着衣１９に配置されたとき、温感溶液保持シート１３が着用者Ａの下腹部に対応する位置に配置されるような形状を有している。したがって、吸収本体３の吸収体１１の排泄口当接域（図示せず）と、温感本体５の温感溶液保持シート１３との距離は、着用者の排泄口と、下腹部との距離（肌面上の距離）とに概ね等しい。
【００４３】
本実施形態では、温感溶液保持シート１３の温感溶液（機能剤）は、ＴＲＰチャネルを活性化する温感剤（温感成分）と、溶媒（溶媒成分）とを含んでいる。そのため、生理用ナプキン１が着衣１９に固定され、使用されると、温感溶液保持シート１３に含まれる温感溶液が、液透過性シート７を透過して、着用者Ａの肌に接触し、着用者Ａの肌の、温感剤が接触している温感剤接触部分のＴＲＰチャネルを効率よく活性化し、着用者の下腹部に温感を効率よく付与することができる。
【００４４】
着用者の下腹部に温感を付与することにより、着用者の下腹部の肌の、温感剤に接していた温感剤接触部分のＴＲＰチャネルが活性化される結果、交感神経系を介して、温感剤接触部分から熱が生じ、着用者の肌の、温感剤接触部分の温度を上昇させることが期待できる。その結果、着用者の子宮に近い部位を温め、痛み物質プロスタグランジンを排出させ、着用者の生理痛を緩和することが期待される。また、着用者の子宮に近い部位を温めることにより、着用者の月経前症候群（Ｐｒｅｍｅｎｓｔｒｕａｌ  Ｓｙｎｄｒｏｍｅ）、冷え性、更年期障害等を軽減することが期待される。また、血行促進（リンパの流れの促進）により老廃物排出と冷え改善、脂肪燃焼向上、免疫力向上などが期待される。
【００４５】
次に、本実施形態に係る個包装体Ｋの包装方法について説明する。
図５及び図６は本実施形態に係る個包装体Ｋの包装方法を示す模式図である。まず、図５（ａ）に示すように、生理用ナプキン１を包装シート２９上に載置する。次いで、図５（ｂ）に示すように、生理用ナプキン１及び包装シート２９について、長手方向第１折線ＦＶ１を基軸として、長手方向第１領域Ｐ１を、長手方向第２領域Ｐ２上に折り畳む。次いで、図６（ａ）に示すように、長手方向第２折線ＦＶ２を基軸として、長手方向第３領域Ｐ３を、長手方向第２領域Ｐ２上に折り畳む。ただし、長手方向第１領域Ｐ１及び長手方向第３領域Ｐ３を折り畳む順序は逆でも良い。次いで、図６（ｂ）に示すように、幅方向第１折線ＦＬ１を基軸として、幅方向第１領域Ｓ１を、幅方向第２領域Ｓ２上に折り畳むと共に、幅方向第３折線ＦＬ３を基軸として、幅方向第４領域Ｓ４を、幅方向第３領域Ｓ３上に折り畳む。その後、図６（ｃ）に示すように、幅方向第２折線ＦＬ２を基軸として、幅方向第１領域Ｓ１を、幅方向第４領域Ｓ４上に折り畳む。ただし、幅方向第４領域Ｓ４を、幅方向第１領域Ｓ１上に折り畳んでもよい。それにより、生理用ナプキン１が包装シート２９に包装された生理用ナプキン１の個包装体Ｋが形成される。
【００４６】
ここで、流体成分を含む温感溶液を有する生理用ナプキンを包装シートで包装して個包装体を形成する場合、個包装体の包装シート内において、生理用ナプキンの温感溶液を配置した領域から温感溶液の流体成分が揮発又は流動して、その後に生理用ナプキン内の別の不適切な領域に付着するおそれがある。例えば、生理用ナプキンの長手方向の端部に温感溶液を配置したとき、その温感溶液の流体成分が揮発又は流動して、その後に排泄口当接域に付着するおそれがある。そのような場合、排泄口当接域は薬剤等に敏感な排泄口に当接するため、その流体成分の種類によっては着用者に不快感等を与えるおそれがある。そうかといって、温感溶液の流体成分が揮発又は移動したときに、不適切な領域に移動しないようにするために、個包装体の包装シート内を部分的に熱シールやエンボスシールによって区分けすることは困難である。また、流体成分の量を減らしたり、温感溶液の領域を小さくしたりすると、温感成分の効果が低減してしまうおそれがある。
【００４７】
そこで、本実施形態に係る個包装体Ｋでは、幅方向第１折線ＦＬ１〜幅方向第２折線ＦＬ２により区画された幅方向第１領域Ｓ１及び幅方向第２領域Ｓ２の少なくとも一方における生理用ナプキン１の領域に、流体成分を含む温感溶液保持シート１３を有している。このとき、幅方向第１領域Ｓ１における長手方向Ｌの幅方向第２領域Ｓ２側の端部は、幅方向第１折線ＦＬ１の位置で折られている。したがって、個包装体Ｋの幅方向第１領域Ｓ１の長手方向Ｌの幅方向第２領域Ｓ２側の端部は、流体成分が別の領域に移動可能な隙間が生理用ナプキン１内を含めてほとんどなく、ある程度閉塞されていると見ることができる。また、幅方向第２領域Ｓ２における長手方向Ｌの幅方向第１領域Ｓ１側の端部は、幅方向第１折線ＦＬ１の位置で折られており、幅方向第３領域Ｓ３（残部領域）側の端部は、幅方向第２折線ＦＬ２の位置で折られている。したがって、個包装体Ｋの幅方向第２領域Ｓ２の長手方向Ｌの前方及び後方の端部は、いずれも流体成分が別の領域に移動可能な隙間が生理用ナプキン１内を含めてほとんどなく、ほぼ閉塞されていると見ることができる。すなわち、幅方向第１領域Ｓ１及び幅方向第２領域Ｓ２における生理用ナプキン１の領域は、いずれも概ね閉鎖空間になっている。
そのため、幅方向第１領域Ｓ１及び幅方向第２領域Ｓ２の少なくとも一方における生理用ナプキン１の領域に温感溶液保持シート１３が配置されていても、それら温感溶液保持シート１３から流体成分が揮発又は流動して、生理用ナプキン１内の別の領域に移動して付着することを抑制できる。すなわち、温感溶液保持シート１３を備える生理用ナプキン１の個包装体において、温感成分の効果を維持しながら、温感溶液保持シート１３の流体成分が生理用ナプキン１の別の領域に付着することを抑制できる。
【００４８】
上記実施形態では好ましい態様として、個包装体Ｋでは、厚さ方向Ｔにおいて、幅方向第１領域Ｓ１が幅方向第２領域Ｓ２と残部領域（例示：幅方向第３領域Ｓ３又は幅方向第４領域Ｓ４）との間に位置している。このとき、幅方向第１領域Ｓ１における長手方向Ｌの幅方向第２領域Ｓ２と反対の側の端部は、厚さ方向Ｔに幅方向第２領域Ｓ２と残部領域との間に挟まれて閉塞的な状態にあり、幅方向第２領域Ｓ２側の端部は、第１折線の位置で折られている。したがって、個包装体Ｋの幅方向第１領域Ｓ１の長手方向Ｌの両端部は、流体成分が外部又は別の領域に移動可能な隙間が生理用ナプキン１内を含めてほとんどなく、ほぼ閉塞されていると見ることができる。すなわち、幅方向第１領域Ｓ１における生理用ナプキン１の領域は、より閉鎖された空間になっている。そのため、幅方向第１領域Ｓ１に温感溶液保持シート１３が配置されていても、それら温感溶液保持シート１３から流体成分が揮発又は流動して外部へ散逸したり、生理用ナプキン１内の別の領域に移動して付着したりすることをより抑制できる。すなわち、温感溶液保持シート１３を備える生理用ナプキン１の個包装体において、機能成分の効果を維持しながら、温感溶液保持シート１３の流体成分が生理用ナプキン１の別の領域に付着することを抑制できる。
【００４９】
上記実施形態では好ましい態様として、排泄口当接域に近い幅方向第２領域Ｓ２の温感溶液の量の方が、排泄口当接域から遠い幅方向第１領域Ｓ１の温感溶液の量のよりも少ない。排泄口への影響を避けるため、排泄口当接域への流体成分の移行をより確実に抑制する観点である。
また、上記実施形態は、一例として、温感溶液保持シート１３が幅方向第１領域Ｓ１と幅方向第２領域Ｓ２とに配置されている。しかし、本実施形態は、この例に限定されるものではなく、温感溶液保持シート１３が幅方向第１領域Ｓ１及び幅方向第２領域Ｓ２のいずれか一方のみに配置されていてもよい。
【００５０】
上記実施形態は、一例として、生理用ナプキン１を三か所で折り、四つ折りにした個包装体である。しかし、本実施形態は、この例に限定されるものではない。例えば、幅方向第１折線ＦＬ１及び幅方向第２折線ＦＬ２の少なくとも幅方向第２折線ＦＬ２の位置を長手方向Ｌの後方にずらす等により、幅方向第３領域Ｓ３及び幅方向第４領域Ｓ4を統合して残部領域として、生理用ナプキン１を幅方向第１折線ＦＬ１及び幅方向第２折線ＦＬ２の二か所で折り、三つ折りにした個包装体であってもよい。また、例えば、幅方向第１折線ＦＬ１〜幅方向第３折線ＦＬ3の長手方向Ｌの位置を調整しつつ、幅方向第３折線ＦＬ3よりも長手方向Ｌの後方に更に一本以上の幅方向折線ＦＬを配置して、個包装体の折り数を更に五つ以上に増やしてもよい。
【００５１】
そのような個包装体Ｋの他の構成例の平面図を図７に示す。個包装体Ｋは、幅方向第１折線ＦＬ１及び幅方向第２折線ＦＬ２の両方の位置を長手方向Ｌの後方にずらすことにより、幅方向第３領域Ｓ３及び幅方向第４領域Ｓ4を統合して残部領域（ここでは幅方向第３領域Ｓ３）としている。この場合、個包装体Ｋは、図７に示すように、長手方向第１折線ＦＶ１及び長手方向第２折線ＦＶ２と、幅方向第１折線ＦＬ１及び幅方向第２折線ＦＬ２とを有している。個包装体Ｋは、幅方向第１折線ＦＬ１及び幅方向第２折線ＦＬ２で区画され、長手方向Ｌの一方側から他方側に並んだ幅方向第１領域Ｓ１、幅方向第２領域Ｓ２及び幅方向第３領域Ｓ３（残部領域ともいう）を含んでいる。ただし、幅方向第１折線ＦＬ１は、例えば、温感溶液保持シート１３と吸収体１１との間に配置され、幅方向第２折線ＦＬ２は、生理用ナプキン１の後方（排泄口当接域より後方）に配置されている。生理用ナプキン１を幅方向第１折線ＦＬ１及び幅方向第２折線ＦＬ２の二か所で折り、三つ折りにした個包装体Ｋとしている。
【００５２】
このような個包装体Ｋの折り畳まれた状態の斜視図を図８に示す。図８に示すように、生理用ナプキン１は、包装シート２９と共に、長手方向第１折線ＦＶ１及び長手方向第２折線ＦＶ２を基軸としてそれぞれ折り畳まれ、そして幅方向第１折線ＦＬ１及び幅方向第２折線ＦＬ２を基軸としてそれぞれ折り畳まれて、個包装体Ｋを形成している。このとき、個包装体Ｋでは、厚さ方向Ｔにおいて、幅方向第２折線ＦＬ２で幅方向第３領域Ｓ３が幅方向第２領域Ｓ２の一方の面の側に折り畳まれ、幅方向第１折線ＦＬ１で幅方向第１領域Ｓ１が幅方向第２領域Ｓ２の一方の面の側に折り畳まれている。そして、幅方向第１領域Ｓ１と幅方向第３領域Ｓ３とは粘着部（例示：リードテープ；図示されず）により互いに接合されている。ただし、図８では、厚さ方向Ｔにおいて、幅方向第３領域Ｓ３が幅方向第１領域Ｓ１よりも幅方向第２領域Ｓ２の側に位置しているが、幅方向第１領域Ｓ１が幅方向第３領域Ｓ３よりも幅方向第２領域Ｓ２の側に位置していても良い。その場合、幅方向第１領域Ｓ１の長手方向Ｌの外側の端部を幅方向第３領域Ｓ３と幅方向第２領域Ｓ２とで挟むことができ、そこから温感溶液の流体成分が揮発又は流動して漏洩することを防止できる。なお、幅方向第２折線ＦＬ２で幅方向第３領域Ｓ３が幅方向第２領域Ｓ２の他方の面の側に折り畳まれていてもよい。
【００５３】
上記実施形態は、一例として、温感本体５あるいは温感溶液保持シート１３が吸収本体３における長手方向Ｌの前方に設けられた生理用ナプキン１に適用されている。しかし、本実施形態は、この例に限定されるものではない。例えば、温感本体５あるいは温感溶液保持シート１３が吸収本体３における長手方向Ｌの後方に設けられた生理用ナプキン１に対しても、前後の関係を逆にするだけで、同様に適用できる。
【００５４】
別の実施形態として、更に、幅方向第２折線ＦＬ２〜幅方向第３折線ＦＬ３により区画された幅方向第３領域Ｓ３及び幅方向第４領域Ｓ４の少なくとも一方における生理用ナプキン１の領域に、他の流体成分を含む他の機能剤を有していてもよい。例えば、生理用ナプキン１において、温感本体５あるいは温感溶液保持シート１３が、吸収本体３における長手方向Ｌの前方に設けられているだけでなく、後方にも設けられていてもよい。
このとき、更に、幅方向第３領域Ｓ３における長手方向Ｌの前方の端部は、幅方向第２折線ＦＬ２の位置で折られており、後方の端部は、幅方向第３折線ＦＬ３の位置で折られている。したがって、個包装体Ｋの幅方向第３領域Ｓ３の長手方向Ｌの前方及び後方の端部は、いずれも流体成分が別の領域に移動可能な隙間が生理用ナプキン１内を含めてほとんどなく、ほぼ閉塞されていると見ることができる。また、幅方向第４領域Ｓ４における長手方向Ｌの前方の端部は、幅方向第３折線ＦＬ３の位置で折られており、後方の端部は、厚さ方向Ｔに幅方向第１領域Ｓ１と幅方向第３領域Ｓ３との間に挟まれている。したがって、個包装体Ｋの幅方向第４領域Ｓ４の前方及び後方の端部は、いずれも流体成分が外部又は別の領域に移動可能な隙間が生理用ナプキン１内を含めてほとんどなく、ほぼ閉塞されていると見ることができる。すなわち、幅方向第３領域Ｓ３及び幅方向第４領域Ｓ４における生理用ナプキン１の領域は、概ね閉鎖空間になっている。
そのため、幅方向第３領域Ｓ３及び幅方向第４領域Ｓ４の少なくとも一方における生理用ナプキン１の領域に他の機能層が配置されていても、その他の機能層から流体成分が揮発又は流動して外部へ散逸したり、生理用ナプキン１内の別の領域に移動して付着したり、別の領域の機能層の機能成分と混合して機能低下や機能変化を起こしたりすることを抑制できる。すなわち、温感溶液保持シート１３や他の機能層を備える生理用ナプキン１の個包装体Ｋにおいて、機能成分の効果を維持しながら、機能層の流体成分が生理用ナプキン１の別の領域に付着することを抑制できる。
【００５５】
上記各実施形態において好ましい態様として、包装シート２９における長手方向Ｌの両端部は、生理用ナプキン１における長手方向Ｌの両端部よりも長手方向Ｌの外側に長い。
したがって、生理用ナプキン１の両端部よりも外側では包装シート２９同士が密着することができる。そのため、例えば、幅方向第１領域Ｓ１における長手方向Ｌの一方の端部は、包装シート２９同士が密着しつつ、幅方向第２領域Ｓ２と幅方向第４領域Ｓ４との間に挟まれることになるので、幅方向第１領域Ｓ１の長手方向Ｌの端部をより閉塞することができる。それにより、幅方向第１領域Ｓ１における生理用ナプキン１の領域に温感溶液保持シート１３が配置されていても、その温感溶液保持シート１３から流体成分が揮発又は流動して外部へ散逸したり、生理用ナプキン１内の別の領域に移動して付着したりすることをより抑制できる。
【００５６】
別の実施形態として、包装シート２９における長手方向Ｌの幅方向第１領域Ｓ１側の端部、すなわち温感溶液保持シート１３のある側の端部は封止されていてもよい。例えば、端部が熱シールやエンボスシールなどで封止されていてもよい。そのため、例えば、幅方向第１領域Ｓ１における長手方向Ｌの一方の端部は、封止されつつ、幅方向第２領域Ｓ２と幅方向第４領域Ｓ４（又は残部領域）との間に挟まれることになるので、幅方向第１領域Ｓ１の長手方向Ｌの端部をより閉塞することができる。それにより、少なくとも幅方向第１領域Ｓ１における生理用ナプキン１の領域に温感溶液保持シート１３が配置されていても、その温感溶液保持シート１３から流体成分が揮発又は流動して外部へ散逸したり、生理用ナプキン１内の別の領域に移動して付着したりすることをより抑制できる。
【００５７】
上記各実施形態において好ましい態様として、個包装体Ｋでは、長手方向第１折線ＦＶ１及び長手方向第２折線ＦＶ２を基軸として、長手方向第１領域Ｐ１及び長手方向第３領域Ｐ３が長手方向第２領域Ｐ２上に折り畳まれることで、流体成分が幅方向Ｗの両端部を介して外部又は別の領域に移動できないように、幅方向Ｗの両端部が閉塞されている。すなわち、幅方向Ｗの両端部は熱シール等による封止工程によっては閉塞されていない。そのため、封止工程の熱により流体成分が揮発して開口部から外部へ散逸したり、生理用ナプキン１内の別の領域に付着したりすることを抑制できる。また、開封時の音の発生を抑制できる。別の実施形態では、幅方向Ｗの両端部は熱シール等により封止されていてもよい。
【００５８】
上記各実施形態において好ましい態様として、個包装体Ｋでは、温感溶液保持シート１３が、吸収体１１よりも長手方向Ｌの前方又は後方の幅方向第１領域Ｓ１における生理用ナプキン１の領域に形成されているので、腹部又は背部に対して温感溶液の機能をより効果的に発揮できる。そして、その場合でも、個包装体Ｋは、排泄口当接域の位置する吸収体１１、すなわち幅方向第２領域Ｓ２又は幅方向第３領域Ｓ3（又は残部領域）と、幅方向第１領域Ｓ１との間で折られているので、幅方向第１領域Ｓ１内の温感溶液保持シート１３の流体成分が幅方向第２領域Ｓ２又は幅方向第３領域Ｓ3や幅方向第４領域Ｓ４（又は残部領域）内の排泄口当接域に移動して付着することを抑制できる。
【００５９】
上記各実施形態において好ましい態様として、個包装体Ｋでは、温感溶液保持シート１３が、シート形状を有し、すなわち液透過性シート７や液不透過性シート９とは別体に形成されている。それゆえ、流体成分の量や温感溶液保持シート１３の領域や位置をより正確に形成することができる。それにより、温感溶液保持シート１３の効果をより的確に維持しつつ、温感溶液保持シート１３の流体成分が生理用ナプキン１の別の領域に移動して付着することをより的確に抑制できる。
【００６０】
上記各実施形態において好ましい態様として、個包装体Ｋでは、包装シート２９が非透液性である。そのため、温感溶液保持シート１３から流体成分が揮発又は流動して、包装シート２９を通り抜けて、外部へ散逸したり、生理用ナプキン１内の別の領域に移動して付着したりすることをより抑制できる。すなわち、温感溶液保持シート１３を備える生理用ナプキン１の個包装体Ｋにおいて、機能成分の効果を維持しながら、温感溶液保持シート１３の流体成分が生理用ナプキン１の別の領域に付着することをより抑制できる。
【００６１】
上記各各実施形態において、機能剤に含まれる機能成分は温感剤である。しかし、本発明はこの例に限定されず、機能剤に含まれる機能成分及び溶媒成分の少なくとも一方が親油性成分を含んでいれば、機能成分の種類は他の種類であってもよく、例えば、冷感剤や発熱剤であってもよい。冷感剤を用いる場合、機能層は、例えば、冷感剤と溶媒成分とを含む冷感溶液を有している。発熱剤を用いる場合、機能層は、例えば、発熱剤と溶媒成分とを含む発熱溶液を有している。
【００６２】
（吸収性物品における各資材等）
次に、上記の各実施形態における吸収性物品における各資材等について説明する。
【００６３】
上記の各実施形態における機能層は、ＴＲＰチャネルを活性化する機能成分と溶媒成分とを含む機能剤を有している。
【００６４】
例えば、温感溶液は、ＴＲＰチャネルを活性化する温感剤と、溶媒とを含んでいる。上記温感剤としては、ＴＲＰチャネルを活性化するものであれば、特に制限されず、例えば、ＴＲＰＶ１レセプターに対するアゴニスト、ＴＲＰＶ３レセプターに対するアゴニスト等が挙げられ、ＴＲＰＶ１に対するアゴニストであることが好ましい。ＴＲＰＶ１レセプターは、活性化温度閾値が４３℃超と高く、着用者に高い温感を付与することができるからである。
【００６５】
上記温感剤は、着用者の安心感の観点から、植物由来の化合物であることが好ましい。上記温感剤としては、例えば、カプシコシド、カプサイシン、カプサイシノイド類（ジヒドロカプサイシン、ノルジヒドロカプサイシン、ホモジヒドロカプサイシン、ホモカプサイシン、ノニバミド等）、カプサンチン、ニコチン酸ベンジル、ニコチン酸β−ブトキシエチル、Ｎ−アシルワニルアミド、ノナン酸バニリルアミド、多価アルコール、唐辛子末、唐辛子チンキ、唐辛子エキス、ノナン酸バニリルエーテル、バニリルアルコールアルキルエーテル誘導体（例えば、バニリルエチルエーテル、バニリルブチルエーテル、バニリルペンチルエーテル、バニリルヘキシルエーテル）、イソバニリルアルコールアルキルエーテル、エチルバニリルアルコールアルキルエーテル、ベラトリアルアルコール誘導体、置換ベンジルアルコール誘導体、置換ベンジルアルコールアルキルエーテル、バニリンプロピレングリコールアセタール、エチルバニリンプロピレングリコールアセタール、ショウガエキス、ジンジャーオイル、ジンゲロール、ジンゲロン、ヘスペリジン、及びピロリドンカルボン酸、並びにそれらの任意の組み合わせが挙げられる。
【００６６】
上記温感剤は、着用者が痛さを感じにくい観点から、カプサイシンではないことが好ましく、バニリルアルコールアルキルエーテル誘導体（例えば、バニリルエチルエーテル、バニリルブチルエーテル、バニリルペンチルエーテル、バニリルヘキシルエーテル、ショウガエキス、ジンジャーオイル、ジンゲロール、及びジンゲロン、並びにそれらの任意の組み合わせがより好ましい。
【００６７】
例えば、冷感溶液は、ＴＲＰチャネルを活性化する冷感剤と、溶媒とを含んでいる。上記冷感剤としては、ＴＲＰチャネルを活性化するものであれば、特に制限されず、例えば、ＴＲＰＭ８レセプターに対するアゴニスト、ＴＲＰＡ１レセプターに対するアゴニスト等が挙げられ、ＴＲＰＭ８レセプターに対するアゴニストであることが好ましい。着用者に、過度の冷感を付与しないためである。
【００６８】
上記冷感剤としては、例えば、メントール（例えば、ｌ−メントール）及びその誘導体（例えば、乳酸メンチル、メンチルグリセリルエーテル、例えば、ｌ−メンチルグリセリルエーテル）、サリチル酸メチル、カンファー、植物（例えば、ミント、ユーカリ）由来の精油等が挙げられる。
【００６９】
上記溶媒としては、上記温感剤及び冷感剤を含むことができるものであれば、特に限定されず、例えば、親油性溶媒及び親水性溶媒が挙げられる。上記溶媒は、上記温感剤及び冷感剤を、例えば、溶解、分散等することができる。上記親油性溶媒としては、油脂、例えば、天然油（例えば、トリグリセリド等の脂肪酸エステル、ヤシ油、アマニ油等）、炭化水素（例えば、パラフィン、例えば、流動パラフィン）等が挙げられる。上記親水性溶媒としては、水及びアルコールが挙げられる。上記アルコールとしては、メタノール、エタノール、エチレングリコール、グリセリン等の低級アルコール、カプリルアルコール、ラウリルアルコール、ミリスチルアルコール等の高級アルコール等が挙げられる。
【００７０】
上記溶媒としては、揮発性を制御しやすい、特に揮発性を下げやすい観点からは、油脂（親油性溶媒）又はアルコール（親水性溶媒）が好ましい。また、吸収性物品では、吸収性を阻害しにくい観点から、上記溶媒は親油性溶媒であることが好ましい。
【００７１】
上記温感溶液又は冷感溶液は、上記温感剤又は冷感剤を、好ましくは０．０００１〜５．０質量％、より好ましくは０．０００５〜３．０質量％、さらに好ましくは０．１〜１．０質量％、そしてさらにいっそう好ましくは０．３〜０．７質量％含む。温感又は冷感の効果の観点からである。
【００７２】
本発明の吸収性物品は、温感溶液又は冷感溶液を、温感剤又は冷感剤の坪量が、好ましくは０．００１〜１０ｇ／ｍ2、より好ましくは０．００３〜５ｇ／ｍ2、さらに好ましくは０．０１〜２．５ｇ／ｍ2、そしてさらにいっそう好ましくは０．０５〜１．５ｇ／ｍ2となるような坪量で含む。着用者に温感又は冷感を付与する観点からである。
【００７３】
本発明の吸収性物品では、上記温感溶液又は冷感溶液は、上述の温感剤又は冷感剤及び溶媒以外に、着用者に温感又は冷感を付与する効果を阻害しない範囲で、下記に示されるような、少なくとも１種の他の成分を含むことができる。
【００７４】
上記少なくとも１種の他の成分としては、冷却剤、例えば、気化熱により周囲の温度を下げる冷却剤が挙げられ、当該冷却剤として、例えばアルコール、例えばメタノール及びエタノールが挙げられる。上記少なくとも１種の他の成分としては、例えばシリコーンオイル、シリコーン、シリコーン系レジン等が挙げられる。上記少なくとも１種の他の成分としては、例えば酸化防止剤、例えばＢＨＴ（２，６−ジ−ｔ−ブチル−ｐ−クレゾール）、ＢＨＡ（ブチル化ヒドロキシアニソール）、没食子酸プロピル等が挙げられる。
【００７５】
上記少なくとも１種の他の成分としては、例えばビタミン、例えば天然ビタミン又は合成ビタミンが挙げられる。上記ビタミンとしては、例えば水溶性ビタミン、例えばビタミンＢ群、例えば、ビタミンＢ1，ビタミンＢ2，ビタミンＢ3，ビタミンＢ5，ビタミンＢ6，ビタミンＢ7，ビタミンＢ9，ビタミンＢ12等、ビタミンＣが挙げられる。上記ビタミンとしては、例えば脂溶性ビタミン、例えばビタミンＡ群、ビタミンＤ群、ビタミンＥ群、およびビタミンＫ群等が挙げられる。上記ビタミンにはまた、それらの誘導体も含まれる。
【００７６】
上記少なくとも１種の他の成分としては、例えば、アミノ酸、例えば、アラニン、アルギニン、リジン、ヒスチジン、プロリン、ヒドロキシプロリン等、並びにペプチドが挙げられる。また、上記少なくとも１種の他の成分としては、例えば、ゼオライト、例えば、天然ゼオライト、例えば、方沸石、菱沸石、輝沸石、ナトロライト、束沸石、及びソモソナイト、並びに、合成ゼオライトが挙げられる。また、上記少なくとも１種の他の成分としては、例えば、コレステロール、ヒアルロン酸、レシチン、セラミド、プラセンタ、コラーゲン、エラスチン、スクワラン、ワセリン、トレハロース等が挙げられる。
【００７７】
また、上記少なくとも１種の他の成分としては、例えば、薬剤、例えば、皮膚収斂剤、抗ニキビ剤、抗シワ剤、抗セルライト剤、美白剤、抗菌剤、抗カビ剤等が挙げられる。上記皮膚収斂剤としては、例えば、酸化亜鉛、硫酸アルミニウム、タンニン酸等、油溶性皮膚収斂剤、例えば、油溶性ポリフェノールが挙げられる。上記油溶性ポリフェノールとしては、天然の油溶性ポリフェノール、例えば、オオバクエキス、オトギリソウエキス、オドリコソウエキス、カモミラエキス、ゴボウエキス、サルビアエキス、シナノキエキス、セイヨウボダイジュエキス、シラカバエキス、スギナエキス、セージエキス、サルビアエキス、テウチグルミエキス、ハイビスカスエキス、ビワ葉エキス、ボダイジュエキス、ホップエキス、マロニエエキス、ヨクイニンエキス等が挙げられる。上記抗ニキビ剤としては、例えば、サリチル酸、過酸化ベンゾイル、レゾルシノール、イオウ、エリスロマイシン、亜鉛等が挙げられる。上記抗シワ剤としては、例えば、乳酸、サリチル酸、サリチル酸誘導体、グリコール酸、フィチン酸、リポ酸、リソフォスファチド酸が挙げられる。上記抗セルライト剤としては、例えば、キサンチン化合物、例えば、アミノフィリン、カフェイン、テオフィリン、テオブロミン等が挙げられる。上記美白剤としては、例えば、ナイアシンアミド、コウジ酸、アルブチン、グルコサミン及び誘導体、フィトステロール誘導体、アスコルビン酸及びその誘導体、並びにクワ抽出物及び胎盤抽出物が挙げられる。
【００７８】
また、上記少なくとも１種の他の成分としては、例えば、抗炎症成分、ｐＨ調整剤、抗菌剤、保湿剤、香料、色素、染料、顔料、植物抽出エキス等が挙げられる。上記抗炎症成分としては、例えば、天然由来の抗炎症剤、例えば、ボタン、オオゴン、オトギリソウ、カモミール、甘草、モモノハ、ヨモギ、シソエキス等、合成抗炎症剤、例えば、アラントイン、グリチルリチン酸ジカリウム等が挙げられる。上記ｐＨ調整剤としては、肌を弱酸性に保つためのもの、例えば、リンゴ酸、コハク酸、クエン酸、酒石酸、乳酸等が挙げられる。上記顔料としては、例えば、酸化チタンが挙げられる。
【００７９】
本発明の吸収性物品、及び上記温感溶液は、発熱剤を含まないことが好ましい。そうすることにより、着用者が、低温やけどを起こしにくくなる。また、吸収性物品自体が発熱しないため、吸収性物品を着衣、肌当に固定するための粘着部が軟化しにくく、吸収性物品の使用を終え、吸収性物品を着衣、着用者の肌等から取り外す際に、吸収性物品の粘着部が、着衣や肌に残りにくい。上記発熱剤としては、発熱剤自体が発熱し、その物質、その溶媒、又は、その物質や溶媒をシート等に固定する剤に浸油性成分を有するものであれば、特に制限されず、例えば、金属粉（例えば、鉄粉）の酸化熱、酸及びアルカリの中和熱、無機塩の水和熱等の化学エネルギーを利用するものが挙げられる。
【００８０】
本発明の吸収性物品において、液透過性シートの素材としては、液透過性を有するものであれば特に制限されず、例えば、布帛（例えば、不織布、織布、編物）、開孔フィルム等が挙げられる。上記布帛としては、吸収性物品の製法のしやすさの観点から不織布が好ましい。上記不織布としては、例えば、エアレイドパルプ、エアスルー不織布、スパンボンド不織布、ポイントボンド不織布、スパンレース不織布、ニードルパンチ不織布、メルトブローン不織布、及びこれらの組み合わせ（例えば、ＳＭＳ等）等が挙げられる。
【００８１】
上記布帛を構成する繊維としては、例えば天然繊維、合成繊維、及び半合成繊維が挙げられる。上記天然繊維としては、パルプ繊維及び再生セルロース繊維が挙げられる。上記再生セルロース繊維としては、レーヨン繊維、例えば、ビスコースから得られるビスコースレーヨン、ポリノジック及びモダール、セルロースの銅アンモニア塩溶液から得られる銅アンモニアレーヨン繊維（「キュプラ」とも称される）；有機化合物及び水の混合溶液である有機溶剤を用いた有機溶剤紡糸法によって得られ、セルロース誘導体を経ないリヨセル及びテンセル等が挙げられる。上記半合成繊維としては、半合成セルロース繊維、例えば、アセテート繊維、例えば、トリアセテート繊維及びジアセテート繊維が挙げられる。上記合成繊維としては、例えば、熱融着性繊維、例えば、ポリオレフィン系ポリマー、例えば、ポリエチレン若しくはポリプロピレン；ポリエステル系ポリマー、例えば、テレフタレート系ポリマー、例えば、ポリエチレンテレフタレート（ＰＥＴ），ポリブチレンテレフタレート，ポリペンチレンテレフタレート；ポリアミド系ポリマー、例えば、ナイロン６若しくはナイロン６，６；アクリル系ポリマー；ポリアクリロニトリル系ポリマー；又はそれらの変性物、或いはそれらの組み合わせ等から形成された繊維が挙げられる。上記開孔フィルムとしては、例えば、ポリエチレン、ポリプロピレンのシートに、複数の開孔部を設けたものが挙げられる。
【００８２】
上記液透過性シートは、好ましくは１０〜１００ｇ／ｍ2、そしてより好ましくは２０〜５０ｇ／ｍ2の坪量を有する。
【００８３】
本発明の吸収性物品において、液不透過性シートの素材としては、液不透過性を有するものであれば特に制限されず、例えばフィルム、例えば、ポリエチレン、ポリプロピレン等のフィルム、通気性を有する樹脂フィルム、スパンボンド又はスパンレース等の不織布に通気性を有する樹脂フィルムを接合したもの、ＳＭＳ等の複層不織布等が挙げられる。
上記液不透過性シートは、好ましくは１０〜５０ｇ／ｍ2、そしてより好ましくは１５〜３０ｇ／ｍ2の坪量を有する。
【００８４】
本発明の吸収性物品は、液透過性シートと液不透過性シートとの間に、追加の部材、例えば、中間シート（例えば、温感溶液保持シート）、吸収体等を含むことができる。上記中間シートの素材としては、液透過性シートの素材として列挙されるものが挙げられる。上記中間シートは、温感溶液を含むことができ、すなわち、温感溶液保持シートであってもよく、そして温感溶液を含まなくともよい。上記中間シートを温感溶液保持シートとして用いる場合であって、温感溶液の溶媒が親油性溶媒であるときには、上記中間シートは、合成繊維から形成された布帛、例えば、不織布、織布、編物等であることができ、例えば、合成繊維から形成された不織布であることができる。また、上記中間シートを温感溶液保持シートとして用いる場合であって、温感溶液の溶媒が親水性溶媒であるときには、上記中間シートは、セルロース系繊維から構成される布帛、例えば、不織布、織布、編物等であることができ、例えば、パルプ繊維から構成されるティッシュ、エアレイドパルプ等であることができる。
【００８５】
上記吸収体としては、コアラップが、パルプ繊維及び高分子吸収剤を含む吸収コアを覆っているもの、コアラップが、高分子吸収剤を含む吸収コア又は高分子吸収剤から成る吸収コアを覆っているもの等が挙げられる。上記コアラップとしては、上述の中間シートが挙げられる。上記吸収体を備える温感物品としては、吸収性物品が挙げられる。
上記中間シートは、好ましくは１０〜２００ｇ／ｍ2、そしてより好ましくは１５〜１５０ｇ／ｍ2の坪量を有する。
【００８６】
本発明の吸収性物品は、当該吸収性物品を着衣、着用者の肌に固定する粘着部を備えることができ、当該粘着部としては、ホットメルト接着剤、例えば、例えば、スチレン−エチレン−ブタジエン−スチレン（ＳＥＢＳ）、スチレン−ブタジエン−スチレン（ＳＢＳ）、スチレン−イソプレン−スチレン（ＳＩＳ）等のゴム系を主体とした、又は直鎖状低密度ポリエチレン等のオレフィン系を主体とした感圧型接着剤又は感熱型接着剤；水溶性高分子（例えば、ポリビニルアルコール、カルボキシルメチルセルロース、ゼラチン等）又は水膨潤性高分子（例えば、ポリビニルアセテート、ポリアクリル酸ナトリウム等）からなる感水性接着剤等が挙げられる。
【００８７】
本発明の吸収性物品は、使用される前に包装シートで包装されていることが好ましい。吸収性物品が保持する温感溶液を保護する観点、吸収性物品が保持する温感溶液を外部に漏らさない観点等からである。例えば、本発明の吸収性物品は、一又は複数の吸収性物品が包装シートで包装された包装体であることが好ましく、そして１つの吸収性物品が包装シートで包装された個包装体であることがより好ましい。上記包装シートの素材としては、例えば、ポリオレフィン系ポリマー、例えば、ポリエチレン及びポリプロピレンが挙げられる。上記包装シートは、上記個包装体の気密性を高める観点から、気密層を含んでもよく、そして当該気密層の素材としては、例えば、エチレンビニルアルコールコポリマー、塩化ビニリデン系ポリマー、例えば、塩化ビニリデンメチルアクリレートコポリマー、ポリビニルアルコール、ナイロン、例えば、ナイロン６、アルミ箔、基材フィルム（ポリエチレンテレフタレート等）上にアルミナ、シリカ等が蒸着されたものが挙げられる。
【００８８】
本発明の吸収性物品は、温感溶液を含むものであれば特に制限されず、例えば、吸収性物品、温感シート等が挙げられる。上記吸収性物品としては、特に制限されず、吸収体を備えるもの、例えば、生理用ナプキン、ショーツ型生理用ナプキン、パンティーライナー、使い捨ておむつ、失禁パッド、陰唇間パッド、タンポン、産褥パッド、母乳パッド、痔用パッド、汗取りパッド、褥瘡シート（ドレッシングシート）、ペット用オムツ、ペット用シート等が挙げられる。
【００８９】
上記吸収性物品では、温感溶液は、吸収体と、吸収性物品の厚さ方向に重複しない位置、吸収体と、吸収性物品の厚さ方向に重複する位置等であり、厚さ方向に粘着部と互いに部分的には重なり合ったとしても互いに全面的には重なり合わないような、任意の位置に配置されうる。上記吸収性物品では、温感溶液は、液透過性シート、上述の中間シート、吸収体等に保持されうる。上記吸収性物品は、液透過性シートと、液不透過性シートと、液透過性シート及び液不透過性シートの間の吸収体とを備えるのが一般的である。
【００９０】
上記温感シートとしては、例えば、着衣固定タイプの温感シート（例えば、液不透過性シートの着衣当接面に、着用者の着衣に固定するための粘着部を備え、上記粘着部を着衣の内面に貼付して使用するもの）、肌固定タイプの温感シート（例えば、液透過性シートの肌当接面（例えば、温感シートの周縁部）に、着用者の肌に固定するための粘着部を備え、上記粘着部を着用者の肌に貼付して使用するもの）が挙げられる。
【００９１】
着衣固定タイプの温感シートが固定される着衣としては、特に制限されず、例えば、着用者の肌に直接接する部分を有し、好ましくは着用者にフィットして用いられるものが挙げられる。上記着衣としては、例えば、下着（例えば、ショーツ、シャツ、ブラジャー等）、上着（例えば、上衣、下衣）、靴下、手袋、マフラー、フェイスマスク、アイマスク等が挙げられる。
【００９２】
上記温感シートが温感を付与しうる部位としては、特に制限されず、例えば、頭（例えば、顔部、例えば、眼部）、首、上肢（例えば、胸部、腹部、鼠径部、背中部、腰部、上腕部、前腕部、手部）、下肢（例えば、大腿部、下腿部、足部）等が挙げられる。
上記温感シートでは、温感溶液は、液透過性シート、上述の中間シート等に保持されうる。上記温感シートは、液不透過性シートと、液透過性シートとを少なくとも備えるものが一般的である。
【符号の説明】
【００９３】
１    生理用ナプキン
１３    温感溶液保持シート
２９    包装シート
ＦＬ１    幅方向第１折線
ＦＬ２    幅方向第２折線
Ｓ１    幅方向第１領域
Ｓ２    幅方向第２領域
Ｓ３    幅方向第３領域
Ｓ４    幅方向第４領域
【図１】
2019045080.tif 000003
【図２】
2019045080.tif 000004
【図３】
2019045080.tif 000005
【図４】
2019045080.tif 000006
【図５】
2019045080.tif 000007
【図６】
2019045080.tif 000008
【図７】
2019045080.tif 000009
【図８】
2019045080.tif 000010
【国際調査報告】
2019045080.tif 000011
2019045080.tif 000012
2019045080.tif 000013
2019045080.tif 000014